(57)【要約】      （修正有）【課題】簡易な構成で頭髪に用いる噴霧液の飛散を防止する整髪用器具を提供する。【解決手段】整髪用器具１は、噴霧液を受ける受け部３と、受け部に設けた取手５と、鏡部材７とを備え、受け部は人の後頭部Ａの形状に沿う凹状湾曲面を有し、鏡部材は凹状湾曲面の一部に設けてあり、使用時に鏡部材を上にして人の後頭部の後側で後頭部との間に間隔をあけて受け部を配置し、前側から後側に向けて頭髪に噴霧した噴霧液を凹状湾曲面で受ける。【選択図】図１
0003187381.tif 000002
【実用新案登録請求の範囲】
【請求項１】
噴霧液を受ける受け部と、受け部に設けた取手と、鏡部材とを備え、
受け部は人の後頭部形状に沿う凹状湾曲面を有し、鏡部材は凹状湾曲面の一部に設けてあり、使用時に鏡部材を上にして人の後頭部の後側で後頭部との間に間隔をあけて受け部を配置し、前側から後側に向けて頭髪に噴霧した噴霧液を凹状湾曲面が受けることを特徴とする整髪用器具。
【請求項２】
鏡部材は、受け部の凹状湾曲面に沿う湾曲面としてあることを特徴とする請求項１に記載の整髪用器具。
【請求項３】
受け部の凹状湾曲面は、球面の一部を成していることを特徴とする請求項１又は２に記載の整髪用器具。
【考案の詳細な説明】
【技術分野】
【０００１】
本考案は、整髪スプレー等から頭髪に噴霧するヘアーリッド、ヘアートニック、育毛剤等の噴霧液を受ける整髪用器具に関する。
【背景技術】
【０００２】
特許文献１には、顔面の上半分を覆うマスクを顔に装着して、顔の前側から頭髪に向け噴射した整髪スプレーの噴霧液が、顔にかかるのを防止することが開示されている。
【先行技術文献】
【特許文献】
【０００３】
【特許文献１】実開平７−２７４０９号公報
【考案の概要】
【考案が解決しようとする課題】
【０００４】
しかし、頭髪に向けて整髪スプレーから噴射した噴霧液は、人の頭の上方や側方にも広がり、頭の後側に広く飛散する。
このように、頭の周囲に飛散した噴霧液は、周囲にある物品や壁等に付着するという問題がある。特に、髪の毛を固めるワックス系の整髪料等においては、周囲に付着すると落ち難く、周囲を汚す原因になっていた。
【０００５】
そこで、本考案は、簡易な構成で頭髪に用いる噴霧液の飛散を防止する整髪用器具の提供を目的とする。
【課題を解決するための手段】
【０００６】
請求項１に記載の考案は、噴霧液を受ける受け部と、受け部に設けた取手と、鏡部材とを備え、受け部は人の後頭部形状に沿う凹状湾曲面を有し、鏡部材は凹状湾曲面の一部に設けてあり、使用時に鏡部材を上にして人の後頭部の後側で後頭部との間に間隔をあけて受け部を配置し、前側から後側に向けて頭髪に噴霧した噴霧液を凹状湾曲面が受けることを特徴とする整髪用器具である。
【０００７】
請求項２に記載の考案は、請求項１に記載の考案において、鏡部材は、受け部の凹状湾曲面に沿う湾曲面としてあることを特徴とする。
【０００８】
請求項３に記載の考案は、請求項１又は２の考案において、受け部の凹状湾曲面は、球面の一部を成していることを特徴とする。
【考案の効果】
【０００９】
請求項１に記載の考案によれば、使用時に、頭の前側から後側に向けて頭髪に向けて噴霧した噴霧液を受け部の凹状湾曲面が受けるので、整髪スプレー等から噴射した噴霧液が周囲に飛散するのを防止できる。
また、頭の前側から噴射した噴霧液は、受け部の凹状湾曲面に沿って頭の後側に案内されるので、頭の前側から整髪スプレーを噴射することで後頭部の毛髪にも噴霧液を付着させることができる。
受け部は、凹状湾曲面を有する形状に形成し、鏡部材を受け部に取り付けるだけであるから、構成が簡易である。
鏡部材を受け部の凹状湾曲面に設けているので、例えば洗面台の固定鏡の前で、整髪用器具を使用しているときには、後頭部の頭髪の状態を洗面台の固定鏡に映すことができるから、噴霧液のかかり具合を確認しながら、整髪スプレーを噴射することができる。
【００１０】
請求項２に記載の考案によれば、請求項１に記載の効果を奏することができると共に、鏡部材を凹状湾曲面にすることにより、鏡部材を凹面鏡として頭部の広い範囲を映すことができる。
【００１１】
請求項３に記載の考案によれば、請求項１又は２に記載の効果を奏することができると共に、製造が容易にでき且つ意匠性に優れる。
【図面の簡単な説明】
【００１２】
【図１】本考案の実施の形態にかかる整髪用器具の使用状態を示す側面図である。
【図２】整髪用器具の正面図である。
【図３】整髪用器具の側面図である。
【考案を実施するための形態】
【００１３】
以下に添付図面の図１〜３を参照して、本考案の実施の形態を詳細に説明する。本考案の実施の形態にかかる整髪用器具１は、噴霧液を受ける受け部３と、受け部３に設けた取手５と、鏡部材７とを備えている。
受け部３と取手５は、共に樹脂製であり、本実施の形態では金型による一体成形で製造してある。図１に示すように、受け部３は、全体が人の後頭部Ａの形状に沿う凹状湾曲面形状に成してある。受け部３は、図２に示すように、縦Ｂ及び横Ｃが各々約２５〜４０ｃｍであり、凹みの深さＥは約１０〜２０ｃｍである。本実施の形態では、凹状湾曲面３ａは、球面の一部を成す形状に形成されている。
【００１４】
鏡部材７は、受け部３の一側部に設けてある。この鏡部材７は、図１に示すように、使用時に上になる位置に設けてある。鏡部材７は、鏡面を受け部３の凹状湾曲面３ａに沿う凹面鏡に形成している。
取手５は、鏡部材７に対して他側に設けてあり、受け部３の外方に延出してある。この取手５は、鏡部材７を上にしたときに、斜め下方に突出する位置にある。取手５の先端には係止孔５ａが形成されている。
【００１５】
次に、本実施の形態にかかる整髪用器具１の使用方法、作用及び効果について説明する。
図１に示すように、整髪用器具１を使用するときには、例えば、洗面台９の固定鏡１１の前に立ち、取手５を片手で持って、鏡部材７を上にして後頭部Ａの後側に凹状湾曲面３ａが位置するように受け部３を配置し、受け部５で後頭部Ａの後側を覆う。
そして、頭の前側から整髪スプレー１３を噴射して噴霧液を頭髪に噴霧する。
【００１６】
本実施の形態によれば、整髪スプレー１３の噴霧液は、後頭部Ａの後側に広がって飛散しようとするが、受け部３の凹状湾曲面３ａが噴霧液を受けるので、噴霧液が広がって飛散するのを防止できる。これにより、整髪している人の後側にある物品や壁、或いは後側にいる人に、整髪スプレー１３の噴霧液がかかるのを防止する。
また、整髪スプレー１３から噴射した噴霧液は、図１に矢印１５で示すように、受け部３の凹状湾曲面３ａに沿って後頭部Ａの後側に案内するので、頭の前側から噴霧するだけで、後頭部Ａの毛髪にも噴霧液を付着させることができる。
【００１７】
鏡部材７を凹状湾曲面１３ａに設けているので、頭部Ａの後側を鏡部材７から洗面台９の固定鏡１１に映すことができる。これにより、噴霧液のかかり具合を確認しながら、整髪スプレーを噴射することができる。
受け部３は、凹状湾曲面形状に形成し、鏡部材７を凹状湾曲面３ａに取り付けるだけであるから、構成が簡易であり且つ製造が容易である。
取手５には係止孔５ａを形成してあるので、非使用時には、係止孔５ａに紐を通したり、或いはそのまま壁に設けた突起等にかけておくことができる。
【００１８】
本考案は、上述した実施の形態に限らず、本考案の要旨を逸脱しない範囲で種々変形可能である。
例えば、鏡部材７は、使用時における上側に１個だけ設けることに限らず、使用時における左右側にも各々設けても良いし、受け部３の凹状湾曲面３ａの上側に広く、例えば凹状湾曲面３ａの略半分の面積で設けても良く個数や大きさに制限はない。
【００１９】
取手５は円弧状に延出させたり、その中間部から曲げた形状にしてもて良く、その長さや形状は制限されない。
噴霧液は、ヘアーリッド、ヘアートニック、育毛剤等の頭髪にかけるものであれば良く、例えば、染髪剤であっても良。
請求項１に記載の鏡部材７は、凹面鏡とすることに限らず、平面鏡や凸面鏡にしても良い。
【符号の説明】
【００２０】
１    整髪用器具
３    受け部
３ａ  凹状湾曲面
５    取手
７    鏡部材
１３  整髪スプレー
【図１】
0003187381.tif 000003
【図２】
0003187381.tif 000004
【図３】
0003187381.tif 000005